(57)【要約】【課題】杖だこを防止し、立てかけた際の滑落を防止するとともに、安全性やファッション性にも優れ快適に使用できるステッキを提供する。【解決手段】棒状のシャフト部５と、シャフト部５の上端部に取り付けられるグリップ部２と、シャフト部５の下端部に取り付けられる石突部６とを有するステッキ１であって、グリップ部２が、グリップ部２の右側端部４及び左側端部３も含め、表面全体にシリコンゴムを０．５ｍｍ以上の所望の厚さで巻き付けて被覆してあり、石突部６が、シャフト部５の下端に当接する部分に金属製リング８を設けてあり、リング８の上方へ筒状に立設してあるシリコンゴムで形成される側面を有し、リング８の下面側である石突部底面７をシリコンゴムで被覆してあり、かつ着脱自在とする。【選択図】図１
2014083136.tif 000002
【特許請求の範囲】
【請求項１】
棒状のシャフト部と、当該シャフト部の上端部に取り付けられるグリップ部と、当該シャフト部の下端部に取り付けられる石突部とを有するステッキであって、
前記グリップ部が、グリップ部の右側端部及び左側端部も含め、表面全体にシリコンゴムを０．５ｍｍ以上の所望の厚さで巻き付けて被覆してあり、
前記石突部が、前記シャフト部の下端に当接する部分に金属製リングを設けてあり、前記リングの上方へ筒状に立設してあるシリコンゴムで形成される側面を有し、前記リングの下面側である石突部底面をシリコンゴムで被覆してあり、かつ着脱自在であることを特徴とするステッキ。
【請求項２】
前記グリップ部を被覆するシリコンゴムが、大気中で加硫可能な加硫剤を添加したシリコンゴム粘土を１２０℃〜１３０℃で加硫して前記グリップ部に焼付接着してあることを特徴とする請求項１に記載のステッキ。
【請求項３】
前記グリップ部と前記シャフト部とが互いに着脱可能であることを特徴とする請求項２に記載のステッキ。
【請求項４】
棒状のシャフト部と、当該シャフト部の上端部に取り付けられるグリップ部と、当該シャフト部の下端部に取り付けられる石突部とを有するステッキであって、前記グリップ部が、グリップ部の右側端部及び左側端部も含め、表面全体にシリコンゴムを０．５ｍｍ以上の所望の厚さで巻き付けて被覆してあることを特徴とするステッキ。
【請求項５】
棒状のシャフト部と、当該シャフト部の上端部に取り付けられるグリップ部と、当該シャフト部の下端部に取り付けられる石突部とを有するステッキであって、前記石突部が、前記シャフト部の下端に当接する部分に金属製リングを設けてあり、前記リングの上方へ筒状に立設してあるシリコンゴムで形成される側面を有し、前記リングの下面側である石突部底面をシリコンゴムで被覆してあり、かつ着脱自在であることを特徴とするステッキ。
【請求項６】
棒状のシャフト部と、当該シャフト部の上端部に取り付けられるグリップ部と、当該シャフト部の下端部に取り付けられる石突部とを有するステッキであって、
前記石突部が、キャップ状の石突部本体の外側周囲全体をシリコンゴムのカバーで被覆してあることを特徴とするステッキ。
【請求項７】
棒状のシャフト部と、当該シャフト部の上端部に取り付けられるグリップ部と、当該シャフト部の下端部に取り付けられる石突部とを有するステッキの製造方法であって、
グリップ部の表面全体にシリコンゴム粘土を０．５ｍｍ以上の所望の厚さで巻き付けて被覆して、グリップ部に１２０℃〜１３０℃で焼付接着して一体としてグリップ部を形成するステップと、
金属製リングを前記シャフト部の下端に嵌めた状態で、シリコンゴム粘土を、前記シャフト部の下端から下部に巻き付けて石突部の側面を形成し、前記リングの下面側をシリコンゴム粘土で被覆して石突部底面を形成し、前記シャフト部に巻きつけたまま１２０℃〜１３０℃で加硫して、前記シャフト部を取り外して、コップ状の石突部を形成するステップと、
前記シャフト部の上端部に、着脱自在に前記グリップ部を取り付け、前記シャフト部の下端部に、着脱自在に前記石突部を取り付けるステップとを含むことを特徴とするステッキの製造方法。
【発明の詳細な説明】
【技術分野】
【０００１】
本発明は、ステッキに関し、特に歩行補助用かつお洒落用に適するステッキに関する。
【背景技術】
【０００２】
一般にステッキは、歩行補助の機能や強度が重視される傾向にあり、お洒落なタイプは数少なく、比較的シンプルなものが多かった（例えば、特許文献１参照）。
【先行技術文献】
【特許文献】
【０００３】
【特許文献１】特開２００７−６１３９５号公報
【発明の概要】
【発明が解決しようとする課題】
【０００４】
しかし、従来のステッキは、グリップ部が固く、また滑りやすいという問題がある。また、毎日使うため、グリップ部が滑りやすいと強く握りすぎてしまい、中指内側に杖だこができてしまうという問題がある。
【０００５】
また、グリップ部は金型で作るため、持つ人それぞれの手の形に合わせて作成することが困難であり、グリップ部が手にフィットしないという問題がある。また、グリップ部は金型で作るため、形状・色柄のデザイン性が乏しいという問題があり、ステッキの形状や色柄が好みに合わなくても、機能や値段を優先して我慢してステッキを選ぶことになるという問題がある。
【０００６】
また、机やいすにグリップ部を引っ掛けたり壁に立てかけたりした際に、滑り落ちてしまうという問題がある。なお、ステッキの下端側、すなわちステッキの先端は地面につくため、金属製又は樹脂製の石突部が設けられているが、いずれも硬く、石突部が人に当たった時にけがをしやすいという問題がある。
【０００７】
そこで、本発明は、杖だこを防止し、立てかけた際の滑落を防止するとともに、安全性やファッション性にも優れ快適に使用できるステッキを提供することを目的とする。
【課題を解決するための手段】
【０００８】
本発明の第１の態様は、棒状のシャフト部と、当該シャフト部の上端部に取り付けられるグリップ部と、当該シャフト部の下端部に取り付けられる石突部とを有するステッキであって、
前記グリップ部が、グリップ部の右側端部及び左側端部も含め、表面全体にシリコンゴムを０．５ｍｍ以上の所望の厚さで巻き付けて被覆してあり、
前記石突部が、前記シャフト部の下端に当接する部分に金属製リングを設けてあり、前記リングの上方へ筒状に立設してあるシリコンゴムで形成される側面を有し、前記リングの下面側である石突部底面をシリコンゴムで被覆してあり、かつ着脱自在であることを特徴とするステッキを提供する。
【０００９】
前記グリップ部を被覆するシリコンゴムが、大気中で加硫可能な加硫剤を添加したシリコンゴム粘土を１２０℃〜１３０℃で加硫して前記グリップ部に焼付接着してあることが好ましい。
【００１０】
また、前記グリップ部と前記シャフト部とが互いに着脱可能であることが好ましい。
【００１１】
本発明の第２の態様は、棒状のシャフト部と、当該シャフト部の上端部に取り付けられるグリップ部と、当該シャフト部の下端部に取り付けられる石突部とを有するステッキであって、前記グリップ部が、グリップ部の右側端部及び左側端部も含め、表面全体にシリコンゴムを０．５ｍｍ以上の所望の厚さで巻き付けて被覆してあることを特徴とするステッキを提供する。
【００１２】
本発明の第３の態様は、棒状のシャフト部と、当該シャフト部の上端部に取り付けられるグリップ部と、当該シャフト部の下端部に取り付けられる石突部とを有するステッキであって、前記石突部が、前記シャフト部の下端に当接する部分に金属製リングを設けてあり、前記リングの上方へ筒状に立設してあるシリコンゴムで形成される側面を有し、前記リングの下面側である石突部底面をシリコンゴムで被覆してあり、かつ着脱自在であることを特徴とするステッキを提供する。
【００１３】
本発明の第４の態様は、棒状のシャフト部と、当該シャフト部の上端部に取り付けられるグリップ部と、当該シャフト部の下端部に取り付けられる石突部とを有するステッキであって、
前記石突部が、キャップ状の石突部本体の外側周囲全体をシリコンゴムのカバーで被覆してあることを特徴とするステッキを提供する。
【００１４】
本発明の第５の態様は、棒状のシャフト部と、当該シャフト部の上端部に取り付けられるグリップ部と、当該シャフト部の下端部に取り付けられる石突部とを有するステッキの製造方法であって、
グリップ部の表面全体にシリコンゴム粘土を０．５ｍｍ以上の所望の厚さで巻き付けて被覆して、グリップ部に１２０℃〜１３０℃で焼付接着して一体としてグリップ部を形成するステップと、
金属製リングを前記シャフト部の下端に嵌めた状態で、シリコンゴム粘土を、前記シャフト部の下端から下部に巻き付けて石突部の側面を形成し、前記リングの下面側をシリコンゴム粘土で被覆して石突部底面を形成し、前記シャフト部に巻きつけたまま１２０℃〜１３０℃で加硫して、前記シャフト部を取り外して、コップ状の石突部を形成するステップと、
前記シャフト部の上端部に、着脱自在に前記グリップ部を取り付け、前記シャフト部の下端部に、着脱自在に前記石突部を取り付けるステップとを含むことを特徴とするステッキの製造方法を提供する。
【発明の効果】
【００１５】
本発明のステッキは上述したように構成されており、本発明のステッキによれば、杖だこを防止し、立てかけた際の滑落を防止するとともに、安全性やファッション性にも優れ快適に使用できる。
【図面の簡単な説明】
【００１６】
【図１】本発明の実施例１のステッキの正面図である。
【図２】本発明の実施例１のステッキの右側面図である。
【図３】本発明の実施例１のステッキの石突部底面を示す概略図である。
【図４】本発明の実施例１のステッキの石突部を取り外したときのシャフト部下部及び石突部を示す説明図である。
【図５】本発明の実施例のステッキの石突部６の上面模式図である。
【発明を実施するための形態】
【００１７】
以下、本発明のステッキの一実施形態について、図面を参照し実施例を用いて具体的に説明するが、本発明はこれらに限定されるものではない。
【実施例１】
【００１８】
｛構成｝
図１は、本発明の実施例１のステッキの正面図である。本実施例１のステッキ１は、棒状の長いシャフト部５と、シャフト部５の上端部に取り付けられるグリップ部２と、シャフト部５の下端部に取り付けられる石突部６とを有するステッキ１であって、グリップ部２が、グリップ部２の右側端部４及び左側端部３も含め、表面全体にシリコンゴムを０．５ｍｍ以上の所望の厚さで巻き付けて被覆してあり、石突部６が、シャフト部５の下端に当接する部分に金属製のリング８を設けてあり、リング８の上方へ筒状に立設してあるシリコンゴムで形成される側面を有し、石突部６の底面すなわち、リング８の下面側である石突部底面７を、シリコンゴムで被覆してあり、かつ着脱自在であるものである。
【００１９】
本実施例では、シリコンゴムは０．５ｍｍ以上の所望の厚さで巻き付けて被覆してあるので、手の大きさや指の太さに応じて、グリップ部２の形状や厚みを調整できる。また、シリコンゴムは、加工が極めてしやすく、カラーバリエーションも多いので、好みに応じて多様なデザインを実現できる。また、本実施例では、シリコンゴムが０．５ｍｍ以上巻きつけてあるため、クッション性に優れ、またグリップ性に優れるため、滑りにくく、杖だこの防止となる。厚みは、クッション性と加工性から１ｍｍ程度とすることが好ましい。
【００２０】
シャフト部５及びシリコンゴムを巻きつける前のグリップ本体は本実施例では金属製の中空シャフトに木目調のシールを全面に貼ったものであるが、木製や陶磁器製などであってもよい。グリップ部２の形状は本実施例ではシャフト部５と組み合わせてＴ字型となるものであるが、逆Ｊ字型や逆Ｌ字型や他の形状となるものでもよい。
【００２１】
図２は、本発明の実施例１のステッキの右側面図である。図２に示したように、グリップ部２のうち、手で持つ把持部分だけでなく、その両サイドである左側端部３も右側端部４もシリコンゴムで覆ってある。したがって、いすの背もたれや壁などに立てかけた時にグリップ部２のどの面で立てかけても摩擦力が働き、滑り落ちにくい。テーブルの端に引っ掛けても、グリップ部２の全面が滑りにくくなっているので、滑落しにくい。
【００２２】
本実施例では、シャフト部５とグリップ部２とは一体であるが、シャフト部５とグリップ部２とは互いに着脱可能であることが好ましい。着脱可能とする場合、例えば、シャフト部５とグリップ部２の接続部がネジ込み式とすることが挙げられる。これにより、着る洋服に合わせて、いろいろなカラーリングや模様のシリコンゴムで被覆されたグリップ部２に気軽に交換できる。したがって、ステッキでファッションが制限されることがなく、どのようなシチュエーションでも快適にステッキを使用することができる。
【００２３】
図３は、本発明の実施例１のステッキの石突部底面を示す概略図である。ステッキ１の石突部底面７は、シリコンゴムで覆われていて、図３のように、星があしらってあってデザイン性とグリップ力とを兼ね備えた底面にしてある。また、ステッキ１の高さが若干低い場合でも、シリコンゴムを重ね付けすることで、高さの微調整ができる。
【００２４】
図４は、本発明の実施例１のステッキの石突部を取り外したときのシャフト部下部及び石突部を示す説明図である。図４は、本実施例のステッキのシャフト部５の下端部に着脱可能に取り付けた石突部６を取り外した状態である。石突部６は着脱可能であるので、着る洋服に合わせて、いろいろなカラーリングや模様のシリコンゴムで被覆された石突部６に気軽に交換できる。
【００２５】
図５は、本発明の実施例のステッキの石突部６の上面模式図である。図５はシャフト部５から取り外した石突部６を上から見た様子を模式的に示した図である。石突部６が、シャフト部５の下端に当接する部分に金属製のリング８を設けてあり、リング８の上方へ筒状に立設してあるシリコンゴムで形成される側面（図５において、石突部６の引き出し線が出ている部分）を有し、リング８の下面側である石突部底面７をシリコンゴムで被覆してある。図５において、石突部底面７は、その引き出し線の一部を破線で表すことにより石突部底面７が紙面裏側にある部分であることを示す。
【００２６】
なお、本実施例においては、シャフト部５と石突部６の両方にシリコンゴムが被覆してあるが、シリコンゴムの被覆が、シャフト部５と石突部６のいずれか一方のみであってもよい。また、石突部６が、シリコンゴム以外の材質であるキャップ状の石突部本体を有し、かかる石突部本体の外側周囲全体を上述したようなシリコンゴムのカバーで被覆してあるものであってもよく、かかる場合の被覆の方法はグリップ部２への被覆と同様な手法となる。
【００２７】
｛製造方法｝
本実施例のステッキ１の製造方法は、以下のとおりである。まずは、棒状のシャフト部５と、シャフト部５の上端部に取り付けられるグリップ部２の本体を準備する。シャフト部５とグリップ部本体とは着脱可能であってもよい。
【００２８】
つぎに、棒状のシャフト部５の上端部に取り付けられるグリップ部２の表面全体にシート状のシリコンゴム粘土を０．５ｍｍ以上の所望の厚さで巻き付けて被覆して、グリップ部２に１２０℃〜１３０℃で加硫及び焼付接着して一体としてグリップ部２を形成する。被覆後、加硫・焼付接着前に、大小のシリコンゴム粘土を何枚か重ねたり、色の異なるシリコンゴム粘土を重ねたり、あるいはシリコンゴム粘土シートを丸めたり型抜きしたりねじったりして様々な形にしたパーツを取り付けたり、紙やガラスや革や金属や陶器製のアクセサリーなどをシリコンゴム内に埋め込んでもよい。これらは加硫時に一体となるため、別途の接着剤等が不要である。このように、グリップ部２は任意の装飾を施すことができる。１６０℃で焼き付けるとガラスを装飾に入れた際に曇りが生じてしまうが、本実施例によれば、低温で焼付接着可能であるので、装飾についての選択肢の幅が広い。水ガラスも１２０℃で接着可能であるため使用可能となる。また、デザインの一部に名前を打ち抜いたシートや名前を書いたシートをはめ込むこともできる。名前の他、電話番号や血液型等も同様にしてはめ込むことができる。
【００２９】
また、金属製のリング８をシャフト部５の下端に嵌めた状態で、シリコンゴム粘土を、シャフト部５の下端から下部に巻き付けて石突部６の側面を形成し、リング８の下面側をシリコンゴム粘土で被覆して石突部底面７を形成し、シャフト部５に巻きつけたまま１２０℃〜１３０℃で加硫して、シャフト部５を取り外して、コップ状の石突部を形成する。石突部６もグリップ部２と同様にして任意の装飾を施すことができる。
【００３０】
そして、シャフト部５の上端部に、着脱自在にグリップ部２を取り付け、シャフト部５の下端部に、着脱自在に石突部６を取り付ける。
【００３１】
本実施例では、石突部６を作成する際に、シリコンゴム粘土をシャフト部５に巻きつけて加硫して、その後に取り外すことによって形状を確定させるので、シャフト部５にぴったりフィットした石突部６とすることができる。金属を内部に含んで加硫してあるので、シャフト部５先端に当たる部分が金属製のリング８で受けてあり、繰り返し使用しても石突部６が破れにくく、丈夫である。しかし、石突部６全体が柔らかいため、人に当たってもけがをさせる心配がない。石突部底面７を石突部６の側面より平らに出っ張った形、すなわちシルクハット型にすれば、立てかけなくても自立するステッキとすることもできるし、足で出っ張った部分を踏んで倒れたステッキをかがまずに立たせることができる。したがって、両手がふさがった状態でもステッキを拾うことができ、便利である。
【００３２】
グリップ部２で焼付接着させずカバータイプにする場合は、被覆したシリコンゴムを、グリップ部２の下面にあたる部分で切り込みを入れることで着脱可能なカバータイプにすることができる。伸び縮みしやすいので、グリップ部２からシリコンゴムを外したり装着したりすることが、困難なくできる。
【００３３】
｛効果｝
本実施例によれば、杖だこを防止し、立てかけた際の滑落を防止するとともに、安全性やファッション性にも優れ快適に使用できる。
【００３４】
本実施例によれば、グリップ部の手触りが柔らかく掌にフィットし、かつ滑りにくく、杖だこができにくい。また、シリコンゴム粘土で1本１本好みのデザインで造形が可能であり、形状、色、柄、いずれをとっても自由度が高く、デザイン性に優れたステッキを実現できる。また、オーダーメイドであるにもかかわらず、コストが高くないため、機能や値段を犠牲にせずにファッションを楽しむことができる。
【００３５】
本実施例によれば、シリコンゴムでグリップ部全体がおおわれているため、摩擦力が大きく、机やいすに立てかけた際にも滑り落ちる心配がない。また、石突部が柔らかいので、石突部が人に当たった時でもけがをさせる心配がない。
【００３６】
石突部が着脱可能であるので、着る洋服や季節やシチュエーションによって石突部を取り換えることができる。シャフト部とグリップ部が着脱可能とすれば、グリップ部も着る洋服や季節やシチュエーションによって取り換えることができる。
【００３７】
シリコンゴム粘土の巻き付け量の調整が容易であるので、手の大きい人も手の小さい人も、また指の太い人も細い人も、自分の手にぴったりあったグリップとすることができるので、快適性に優れ、長時間使用していても疲れにくい。
【００３８】
また、本実施例で使用するシリコンゴム粘土は、原油を原料とせず、シリカを原料とするものであり、耐熱性に優れ、かつ有害物質を含まず、食べても危険性がないため、安全性に優れる。また、通常のゴムではステッキでゴムに当たっている部分に変色を生じさせるおそれがあるが、シリコンゴムでは変色を生じさせるおそれがない。
【００３９】
なお、本発明は、上記実施の形態に限定されず、その発明の趣旨を逸脱しない範囲で種々と変形実施が可能である。例えば、ステッキのシャフト部にデコレーションペーパーやラインストーンなどのデコレーションを施して、よりデザイン性を向上させてもよい。
【符号の説明】
【００４０】
１      ステッキ
２    グリップ部
３    左側端部
４    右側端部
５    シャフト部
６    石突部
７    石突部底面
８    リング
【図１】
2014083136.tif 000003
【図２】
2014083136.tif 000004
【図３】
2014083136.tif 000005
【図４】
2014083136.tif 000006
【図５】
2014083136.tif 000007